(57)【要約】  ＲＦ信号レベルの検出のための所定パターン信号を含む情報記録媒体及びその最適記録条件の決定方法及び装置に係り、該情報記録媒体は、周期的に反復されるｎＴ（ｎは自然数、Ｔはクロック周期）、及びｎＴ間に形成され、ＲＦ信号の各レベルに対応する互いに異なる長さのＴの組合わせにより構成された所定パターン信号を含むことを特徴とする。
2008544431.tif 000002
【特許請求の範囲】
【請求項１】
記録装置によって情報を記録するのに利用される情報記録媒体において、
前記情報記録媒体から読み取られるＲＦ信号のレベル検出のために、周期的に反復されるｎＴパルス（ｎは自然数、Ｔはクロック周期）、及び前記ｎＴパルス間に形成され、前記ＲＦ信号の各レベルに対応するｍＴ（ｍは、前記各ＲＦ信号のレベルに対応する値）の組合わせにより構成された所定パターン信号を含むことを特徴とする情報記録媒体。
【請求項２】
前記所定パターン信号は、ＲＯＭピット・マーク、プリレコーディッド・マーク及びウォブルのうち、いずれか一つを利用して記録されることを特徴とする請求項１に記載の情報記録媒体。
【請求項３】
前記ｎＴは、分解能より小である長さであり、前記ｍＴは、分解能以上の長さを有することを特徴とする請求項１に記載の情報記録媒体。
【請求項４】
前記ｎＴは、２Ｔまたは３Ｔの長さを有し、前記ｍＴは、３Ｔないし８Ｔのうちいずれか１つの値を有することを特徴とする請求項１に記載の情報記録媒体。
【請求項５】
情報記録媒体の最適記録条件を決定する方法において、
記録条件を変化させつつ、前記情報記録媒体に周期的に反復されるｎＴパルス（ｎは自然数、Ｔはクロック周期）、及び前記ｎＴパルス間に形成され、ＲＦ信号の各レベルに対応するｍＴパルス（ｍは、前記ＲＦ信号の各レベルに対応する値）の組合わせにより構成された所定パターン信号を記録する段階と、
前記情報記録媒体から前記所定パターン信号を読み取り、前記所定パターン信号に対応するＲＦ信号のレベル変化を検出する段階と、
前記ＲＦ信号のレベルが所定の基準条件を満足するときの記録条件を最適記録条件と決定する段階とを含むことを特徴とする最適記録条件の決定方法。
【請求項６】
前記所定パターン信号は、ＲＯＭピット・マーク、プリレコーディッド・マーク及びウォブルのうち、いずれか一つを利用して記録されることを特徴とする請求項５に記載の最適記録条件の決定方法。
【請求項７】
前記ｎＴは、分解能より小である長さであり、前記ｍＴは、分解能以上の長さを有することを特徴とする請求項５に記載の最適記録条件の決定方法。
【請求項８】
前記ｎＴは、２Ｔまたは３Ｔの長さを有し、前記ｍＴは、３Ｔないし８Ｔのうちいずれか１つの値を有することを特徴とする請求項５に記載の最適記録条件の決定方法。
【請求項９】
前記記録条件は、２Ｔ  Ｄｕｔｙ、記録パワー及びバイアスパワーのうち、少なくとも一つであることを特徴とする請求項５に記載の最適記録条件の決定方法。
【請求項１０】
前記所定の基準条件は、ＲＦ信号の非対称及び／またはモジュレーション振幅を利用することを特徴とする請求項５に記載の最適記録条件の決定方法。
【請求項１１】
前記決定された最適記録条件をリードイン領域及び／またはリードアウト領域に記録する段階をさらに含むことを特徴とする請求項５に記載の最適記録条件の決定方法。
【請求項１２】
情報記録媒体の記録／再生装置において、
記録条件を変化させつつ、前記情報記録媒体に周期的に反復されるｎＴパルス（ｎは自然数、Ｔはクロック周期）、及び前記ｎＴ間に形成され、ＲＦ信号の各レベルに対応するｍＴパルス（ｍは、前記ＲＦ信号の各レベルに対応する値）の組合わせにより構成された所定パターン信号を記録するピックアップ部と、
前記情報記録媒体から読み取られた前記所定パターン信号に対応するＲＦ信号のレベル変化を検出する検出部と、
前記ＲＦ信号のレベルが所定の基準条件を満足するときの記録条件を最適記録条件と決定する制御部とを備えることを特徴とする記録／再生装置。
【請求項１３】
前記ピックアップ部は、ＲＯＭピット・マーク、プリレコーディッド・マーク及びウォブルのうち、いずれか一つを利用して前記所定パターン信号を記録することを特徴とする請求１２項に記載の記録／再生装置。
【請求項１４】
前記ｎＴは、分解能より小である長さであり、前記ｍＴは、分解能以上の長さを有することを特徴とする請求項１２に記載の記録／再生装置。
【請求項１５】
前記ｎＴは、２Ｔまたは３Ｔの長さを有し、前記ｍＴは、３Ｔないし８Ｔのうちいずれか１つの値を有することを特徴とする請求項１２に記載の記録／再生装置。
【請求項１６】
前記記録条件は、２Ｔ  Ｄｕｔｙ、記録パワー及びバイアスパワーのうち、少なくとも一つであることを特徴とする請求項１２に記載の記録／再生装置。
【請求項１７】
前記所定の基準条件は、ＲＦ信号の非対称及び／またはモジュレーション振幅を利用することを特徴とする請求項１２に記載の記録／再生装置。
【請求項１８】
前記ピックアップ部は、決定された最適記録条件をリードイン領域及び／またはリードアウト領域に記録することを特徴とする請求項１２に記載の記録／再生装置。
【請求項１９】
所定の信号を発生するために、周期的に反復されるｎＴパルス（ｎは自然数、Ｔはクロック周期）、及び前記ｎＴパルス間に形成され、前記所定の信号と関連してＲＦ信号の各レベルに対応するｍＴパルス（ｍは、前記ＲＦ信号の各レベルに対応する値）の組合わせにより構成された所定パターン信号が記録された情報記録媒体に情報を記録する記録装置の動作方法において、
記録条件を変化させつつ、前記所定パターンの信号を記録する段階と、
前記変化した記録条件による前記ＲＦ信号のレベル変化を検出する段階と、
前記ＲＦ信号のレベルに関連した所定の参照条件を満足するか否かを決定する段階と、
前記所定参照条件が満足されない場合、前記記録、検出及び決定段階を前記所定参照条件が満足されるまで反復することにより、前記記録条件を調節する段階と、
前記所定参照条件を満足する場合、前記記録条件を最適の記録条件と決定する段階とを含むことを特徴とする記録装置の動作方法。
【請求項２０】
請求項１９に記載の方法を実行するためのコンピュータで実行可能なプログラムが記録された記録媒体。
【請求項２１】
再生装置によって情報を再生するのに利用される情報再生媒体において、
周期的に反復されるｎＴパルス（ｎは自然数、Ｔはクロック周期）、及び前記ｎＴパルス間に形成され、前記ＲＦ信号の各レベルに対応するｍＴ（ｍは、前記各ＲＦ信号のレベルに対応する値）の所定パターン信号を発生させるための所定パターンが記録されたことを特徴とする情報再生媒体。
【請求項２２】
前記ｎＴは、２Ｔまたは３Ｔの長さを有し、前記ｍＴは、３Ｔ、４Ｔ、５Ｔ、６Ｔ、７Ｔ及び８Ｔのうちいずれか１つの値を有することを特徴とする請求項２１に記載の情報記録媒体。
【請求項２３】
情報再生媒体の最適の再生条件を決定するための再生装置の動作方法において、
前記情報再生媒体の再生条件を変化させつつ、前記情報再生媒体に記録された周期的に反復されるｎＴパルス（ｎは自然数、Ｔはクロック周期）、及び前記ｎＴパルス間に形成され、前記所定の信号と関連してＲＦ信号の各レベルに対応するｍＴパルス（ｍは、前記ＲＦ信号の各レベルに対応する値）の所定パターン信号を再生する段階と、
前記所定パターン信号に対応するＲＦ信号のレベルを検出する段階と、
前記検出されたＲＦ信号のレベルが所定の参照条件を満足する場合、対応する再生条件を最適の再生条件に設定する段階を含むことを特徴とする再生装置の動作方法。
【請求項２４】
前記ｎＴは、２Ｔまたは３Ｔの長さを有し、前記ｍＴは、３Ｔ、４Ｔ、５Ｔ、６Ｔ、７Ｔ及び８Ｔのうちいずれか１つの値を有することを特徴とする請求項２３に記載の再生装置の動作方法。
【請求項２５】
前記所定参照条件は、前記ＲＦ信号の非対称及び／またはモジュレーション振幅を利用して設定されることを特徴とする請求項２３に記載の再生装置の動作方法。
【発明の詳細な説明】
【技術分野】
【０００１】
本発明は、情報記録媒体の記録最適化に係り、さらに詳細には、信号間干渉現象を克服し、安定的にＲＦ信号レベルが抽出されるように所定パターン信号が形成された情報記録媒体、所定パターン信号を利用した最適記録条件の決定方法及び記録／再生装置に関する。本発明は、特に記録密度の向上のために、分解能以下の小さなマークまたはスペースでもって所定のデータが記録された情報記録媒体（以下、「超解像記録媒体」という）などに適用可能である。
【背景技術】
【０００２】
光ディスクから反射された光は、電気的信号に変換された後、所定の信号処理過程を介して二進データで再生される。光ディスクから反射された光を電気的信号に変換することによって得た信号をＲＦ（無線周波数）信号という。光ディスクには二進信号が記録されているとしても、光ディスクから得たＲＦ信号は、光ディスク特性と光学的な特性とによりアナログ信号の性質を有する。ＲＦ信号を二値化（binarization）することによって二進データが得られる。前記二値化過程は、所定の基準レベルと検出されたＲＦ信号のレベルとを比較して二進データを獲得する。このとき、信頼性ある二進データの検出のためには、前記光ディスクに記録された多様な長さのマークまたはスペースによるＲＦ信号のレベルを正確に検出する必要がある。
【０００３】
図１Ａ及び図１Ｂは、それぞれ従来技術によって最短信号が分解能より大であるマークとスペースとで所定のデータが記録された情報記録媒体の再生時に検出されるアイ・パターン（eye-pattern）のシミュレーション結果と実験結果とを示したグラフである。
【０００４】
図１Ａ及び図１Ｂを参照するに、従来には、情報記録媒体に形成されたマークまたはスペースが分解能より大であるマークとスペースとからなるために、信号間干渉（ＩＳＩ：Inter  Symbolic  Interference）現象が少なく、ランダムな配列の信号でも各マークまたはスペースの長さに対応するＲＦ信号のレベルが一定であるために、前記各マークまたはスペースの長さに対応するＲＦ信号レベルの区別が可能である。従って、鮮明なアイ・パターンから各マークまたはスペースの長さに対応するＲＦ信号のレベル抽出が可能である。
【０００５】
一方、最近では、記録媒体の大容量化に対する要求が高まっており、光ディスクにおいて記録密度を高めるために、トラックピッチを狭めたり、または記録ピットの最短長を短くするような方法が提案されている。例えば、記録媒体に記録されたデータを再生するための光源の波長がλであり、対物レンズの開口数がＮＡであるとき、再生分解能の限界、すなわちλ／４ＮＡより小であるサイズを有する記録マークを再生できる超解像記録媒体などが提案されている。
【０００６】
前記超解像記録媒体は、超解像層に結ばれる光スポット内で部分的な光度差によって、温度分布変化または光学的特性変化が起きるために、分解能限界を超える大きさを有するマークに対しても再生が可能になる。
【０００７】
図２Ａ及び図２Ｂは、それぞれ従来技術によって、分解能より小であるマークを含む超解像記録媒体に記録されたランダムパターンによるＲＦ信号の再生時に検出されたアイ・パターンのシミュレーション結果と実験結果とを示したグラフである。
【０００８】
図２Ａ及び図２Ｂを参照するに、超解像記録媒体の場合、記録密度の向上のためにマーク長がかなり短くなるために、再生レーザビーム内にいくつかのマークが含まれ、互いに隣接したマークが再生ＲＦ信号に影響を及ぼす。すなわち、ある特定マークのＲＦ信号レベルがその前後に位置したマークの再生ＲＦ信号レベルの影響を受ける。従って、同じ長さのマークまたはスペースであっても、その前後に位置したマークまたはスペースの長さによって、ＲＦ信号レベルが一定ではなく、それによって正確なアイ・パターンの検出が困難である。このように、従来には分解能以下のマークまたはスペースの長さによる各ＲＦ信号のレベルを区別し難いという問題点がある。また、情報記録媒体に所定のデータを記録する場合、ＲＦ信号のレベル検出が困難であるために、正確な記録条件を決定し難いという問題点がある。
【発明の開示】
【発明が解決しようとする課題】
【０００９】
従って、本発明は、前記のような問題点を解決するために案出され、信頼性あるＲＦ信号のレベル検出のための所定パターン信号を具備した情報記録媒体を提供するところに目的がある。
【００１０】
また本発明は、前記所定パターン信号によるＲＦ信号とランダムパターン信号によるＲＦ信号間の相互連関性を確認し、前記所定パターン信号を利用して情報記録媒体の最適記録条件を決定する方法及び装置を提供するところに目的がある。
【課題を解決するための手段】
【００１１】
前記のような技術的課題を解決するために、本発明による情報記録媒体は、ＲＦ信号のレベル検出のために、周期的に反復されるｎＴ（ｎは自然数、Ｔはクロック周期）、及び前記ｎＴ間に形成され、前記ＲＦ信号の各レベルに対応する互いに異なる長さのＴの組合わせにより構成された所定パターン信号を含むことを特徴とする。
【００１２】
本発明による情報記録媒体の最適記録条件を決定する方法は、記録条件を変化させつつ、前記情報記録媒体に周期的に反復されるｎＴ（ｎは自然数、Ｔはクロック周期）、及び前記ｎＴ間に形成され、ＲＦ信号の各レベルに対応する互いに異なる長さのＴの組合わせにより構成された所定パターン信号を記録する段階と、前記所定パターン信号に対するＲＦ信号のレベル変化を検出する段階と、前記ＲＦ信号のレベルが所定の基準条件を満足するときの記録条件を最適記録条件と決定する段階とを含むことを特徴とする。
【００１３】
本発明による情報記録媒体の記録／再生装置は、記録条件を変化させつつ、前記情報記録媒体に周期的に反復されるｎＴ（ｎは自然数、Ｔはクロック周期）、及び前記ｎＴ間に形成され、ＲＦ信号の各レベルに対応する互いに異なる長さのＴの組合わせにより構成された所定パターン信号を記録するピックアップ部と、前記所定パターン信号に対するＲＦ信号のレベル変化を検出する検出部と、前記ＲＦ信号のレベルが所定の基準条件を満足するときの記録条件を最適記録条件と決定する制御部とを備えることを特徴とする。
【発明の効果】
【００１４】
本発明によれば、分解能以下の小さなマークを含んだ超解像記録媒体において、信号間干渉現象によりＲＦ信号のレベル抽出が困難である場合にも、容易に各Ｔ信号のレベルを抽出できる。
【００１５】
また本発明によれば、所定パターン信号を利用して情報記録媒体の最適記録条件を容易に決定でき、信号の品質（ＢＥＲ）に直接的に影響を与える要素を確認してＲＦ信号の品質を改善できる。
【発明を実施するための最良の形態】
【００１６】
以下、添付された図面を参照しつつ、本発明の望ましい実施形態について詳細に説明する。
【００１７】
本発明の一実施形態によれば、信号間干渉（ＩＳＩ：Inter  Symbolic  Interference）の影響なしに安定的に検出されうる所定パターンの信号を情報記録媒体に形成し、前記所定パターンの信号を介して多様な長さのマークまたはスペースに対応するＲＦ（無線周波数）信号のレベルを検出し、ランダムパターンによるＲＦ信号のレベル測定に利用する。また、本発明の他の実施形態によれば、前記所定パターンによるＲＦ信号とランダムパターンによるＲＦ信号との特性の類似性を利用し、情報記録媒体に前記所定パターン信号が所定基準条件を満足させる記録条件を決定し、前記記録条件を任意のデータの記録条件で利用するのである。
【００１８】
まず、本発明による情報記録媒体に形成された所定パターンの信号を利用し、検出されるＲＦ信号とランダムパターンによって検出されるＲＦ信号との相互連関性をシミュレーション及び実験を介して確認する。
【００１９】
以下、所定パターン信号とは、ＩＳＩの影響なしに安定的に検出されうるように、本発明による情報記録媒体及び最適記録条件の検出方法に利用される特殊な形態のパターンを意味し、前記ランダムパターンは、１−７  ＰＬＬ（Phase  Locked  Loop）コードによって情報記録媒体に形成された任意のデータパターンを意味する。
【００２０】
具体的に、前記所定パターン信号は、周期的に反復されるｎＴ（ｎは自然数、Ｔはクロック周期）、及び前記ｎＴ間に形成され、ＲＦ信号の各レベルに対応する互いに異なる長さのＴの組合わせにより構成されうる。ここで、前記所定パターン信号は、ＲＯＭピット・マーク、プリレコーディッド・マーク及びウォブルのうち、いずれか一つを利用して情報記録媒体に記録されうる。また、前記ｎＴは、分解能より小である長さであり、前記互いに異なる長さのＴは、分解能以上の長さを有するように形成されうる。
【００２１】
図３は、本発明による情報記録媒体に形成された所定パターン信号によるＲＦ信号とランダムパターンによるＲＦ信号との特性を測定した結果を示したものである。ここで、情報記録媒体として、ブルーレイ（blu-ray）ディスクを利用した。また、所定パターン信号としては、ｎＴが２Ｔであり、前記互いに異なる長さのＴは、２Ｔないし８Ｔの値を有するように形成した。一例として、「２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−３Ｔ−３Ｔ−３Ｔ−３Ｔ−３Ｔ−３Ｔ−３Ｔ−３Ｔ−３Ｔ−３Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−４Ｔ−４Ｔ−４Ｔ−４Ｔ−４Ｔ−４Ｔ−４Ｔ−４Ｔ−４Ｔ−４Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−５Ｔ−５Ｔ−５Ｔ−５Ｔ−５Ｔ−５Ｔ−５Ｔ−５Ｔ−５Ｔ−５Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−６Ｔ−６Ｔ−６Ｔ−６Ｔ−６Ｔ−６Ｔ−６Ｔ−６Ｔ−６Ｔ−６Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−７Ｔ−７Ｔ−７Ｔ−７Ｔ−７Ｔ−７Ｔ−７Ｔ−７Ｔ−７Ｔ−７Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−２Ｔ−８Ｔ−８Ｔ−８Ｔ−８Ｔ−８Ｔ−８Ｔ−８Ｔ−８Ｔ−８Ｔ−８Ｔ」の形態を有する所定パターン信号を利用した。すなわち、前記所定パターン信号は、２０個の２Ｔ、１０個の３Ｔ、２０個の２Ｔ、１０個の４Ｔ、２０個の２Ｔ、１０個の５Ｔ、２０個の２Ｔ、１０個の６Ｔ、２０個の２Ｔ、１０個の７Ｔ、２０個の２Ｔ及び１０個の８Ｔにより構成される。
【００２２】
また、ＲＦ信号の対称性（symmetry）を調節するために、２Ｔ  Ｄｕｔｙ、記録パワー（ＰＷ）、バイアスパワー（bias power）を変数としてシミュレーションした。ここで、２Ｔ  Ｄｕｔｙは、２Ｔの記録マークまたはスペースの反射レベル調節値を意味する。
【００２３】
図３を参照するに、まず２Ｔ  Ｄｕｔｙを０．４０、０．３０、０．５０に変化させ、残りの条件は同じ状態で、ランダム（Random）パターンによるＲＦ信号と本発明による所定パターン（Pattern）によるＲＦ信号との非対称（Asymmetry）特性は、互いに類似しているということを確認することができる。例えば、１番のランダムパターンによるＲＦ信号と２番の本発明による所定パターンのＲＦ信号との非対称は、それぞれ０．０３と０．０４とであって非常に類似している。
【００２４】
また、記録パワー（ＰＷ）だけを変化させつつ、ランダムパターンによるＲＦ信号と本発明による所定パターンによるＲＦ信号との非対称（Asymmetry）特性も類似しているということを確認することができる。例えば、９．６０ｍｗの記録パワー、４．３０（ｍＶ）のバイアスパワー及び０．４０の２Ｔ  Ｄｕｔｙ値の条件で記録された９番のランダムパターンによるＲＦ信号と、１０番の本発明による所定パターンによるＲＦ信号との非対称は、それぞれ０．１０及び０．１１であって互いに類似している。また、バイアスパワー（Bias  power）だけを変化させて残りの条件は同じ状態で、ランダムパターンによるＲＦ信号と本発明による所定パターンによるＲＦ信号との非対称特性も互いに類似している。
【００２５】
図４及び図５は、前記図３の条件によるシミュレーション結果を具体的に示した図である。
【００２６】
図４を参照するに、記録パワー（Ｐｗ）及びバイアスパワー（Ｐ  ｂｉａｓ）を同一に維持した状態で、２Ｔ  Ｄｕｔｙのみを０．４０、０．３０、０．５０に変化させる場合、本発明による所定パターンによるＲＦ信号の非対称は、それぞれ０．０４、−０．０２、０．０８であった。また同じ条件で、ランダムパターンによるＲＦ信号の非対称は、０．０３、−０．０１、０．０６であった。すなわち、２Ｔ  Ｄｕｔｙだけを変化させる場合、所定パターンによるＲＦ信号とランダムパターンによるＲＦ信号との非対称は、非常に類似した値を有する。
【００２７】
図５を参照するに、２Ｔ  Ｄｕｔｙを同一に維持した状態で、記録パワー及びバイアスパワーを変化させつつ実験した場合にも、本発明による所定パターンによるＲＦ信号とランダムパターンによるＲＦ信号との非対称が類似しているということを再確認できる。
【００２８】
以上で説明したように、本発明による所定パターンによるＲＦ信号は、ランダムパターンによるＲＦ信号と類似した非対称特性を有するということが分かる。
【００２９】
一般的に、光ディスクのような情報記録媒体から得られたＲＦ信号の特性を表す指標として、非対称とモジュレーション（modulation）とが利用される。前記非対称は、最大周期より短い所定周期によるＲＦ信号の中心部が、最大周期によるＲＦ信号の中心部からどれほど外れているかを表すものであり、モジュレーションは、短い周期によるＲＦ信号の大きさが最大周期によるＲＦ信号の大きさに比べてどれほど小さいかを表すものである。例えば、８Ｔを最大周期とすれば、非対称は、前記８ＴによるＲＦ信号の中心部から、前記８Ｔより短い周期を有する所定長さのＴによるＲＦ信号の中心部がどれほど外れているかを表し、モジュレーションは、前記８ＴによるＲＦ信号の大きさに比べ、８Ｔより短い周期を有する所定長さのＴによるＲＦ信号の大きさがどれほど小さいかを表す。情報記録媒体に所定のデータを記録及び／または再生するためには、前記非対称及びモジュレーションが所定範囲の値を有することが要求される。前述の図３ないし図５を介して説明したように、本発明による所定パターン信号によるＲＦ信号は、ランダムパターンによるＲＦ信号と類似した非対称特性を有する。従って、本発明による所定パターン信号によるＲＦ信号が所定基準の非対称特性を満足する場合、ランダムパターンによるＲＦ信号も所定基準の非対称特性を満足されられるのである。
【００３０】
図６は、本発明による所定パターンの備わった情報記録媒体で、前記所定パターンによって検出されるＲＦ信号の波形を示したグラフであり、図７は、本発明による所定パターンの備わった記録媒体で、ＥＱ（Equalization）前のＰＬＬ（Phase  Loop  Lock）信号を示したグラフである。
【００３１】
図６を参照するに、２Ｔ〜８Ｔの多様な長さのマークまたはスペースの組合わせにより構成された前記所定パターンによるＲＦ信号が鮮明に検出されるということを確認することができる。具体的には、２Ｔないし８Ｔの組合わせにより構成された本発明による所定パターンに対応するＲＦ信号は、基準レベル（０  level）を中心に各ＴによるＲＦ信号のレベル測定が可能な状態で検出される。ここで、モジュレーション振幅は、８ＴによるＲＦ信号の振幅（Ｉ８ｈ−Ｉ８ｌ）と、２ＴによるＲＦ信号の振幅（Ｉ２ｈ−Ｉ２ｌ）との比、すなわち（Ｉ２ｈ−Ｉ２ｌ）／（Ｉ８ｈ−Ｉ８ｌ）である。また非対称は、｛（Ｉ８ｈ＋Ｉ８ｌ）／２−（Ｉ２ｈ＋Ｉ２ｌ）／２｝／（Ｉ８ｈ−Ｉ８ｌ）である。また、図７を参照するに、本発明による所定パターンを具備した情報記録媒体は、各Ｔに対応するＲＦ信号の検出が可能であるということを再確認できる。
【００３２】
以下、超解像記録媒体に本発明による所定パターンの信号を適用する場合に検出されるＲＦ信号の特性について述べる。
【００３３】
図８及び図９は、本発明による所定パターン信号を超解像記録媒体に形成し、前記所定パターンによって検出されるＲＦ信号の波形を示したグラフである。ここで、図８は、前記所定パターン信号として２Ｔ−２Ｔ−２Ｔ−３Ｔ−２Ｔ−４Ｔ−２Ｔ−５Ｔ−２Ｔ−６Ｔ−２Ｔ−７Ｔ−２Ｔ−８Ｔを利用した場合に検出されるＲＦ信号の波形を表し、図９は、前記所定パターン信号として３Ｔ−３Ｔ−３Ｔ−３Ｔ−４Ｔ−３Ｔ−５Ｔ−３Ｔ−６Ｔ−３Ｔ−７Ｔ−３Ｔ−８Ｔを利用した場合に検出されるＲＦ信号の波形を表す。実験条件として、波長が４０５ｎｍであるレーザビーム及び開口数（ＮＡ）が０．８５である対物レンズを利用してＲＦ信号の振幅を測定した。また、前記所定パターンは、最小長を有する２Ｔマークが７５ｎｍの長さを有するように形成した。ここで、前記超解像記録媒体の分解能は、約１２０ｎｍである。
【００３４】
図８を参照するに、分解能以下の小である長さを有する２Ｔマークに対応するＲＦ信号のレベルを検出できる。また図９を参照するに、３Ｔマークに対応するＲＦ信号のレベルを検出できる。すなわち、本発明による所定パターン信号によるＲＦ信号は、分解能以下の小さなマーク長に対応するＲＦ信号の検出が可能であり、各Ｔに対応するＲＦ信号のレベルを抽出できるということが分かる。
【００３５】
図１０は、超解像記録媒体に所定記録パワーで本発明による所定パターンの信号を形成し、前記所定パターンによるＲＦ信号とランダムパターンによるＲＦ信号とを比較したグラフである。ここで、所定パターン信号としては、前記図３で言及した所定パターン信号を利用し、ランダムパターン信号としては、１−７  ＰＬＬコードを利用した。
【００３６】
図１０で半径（radius）は、超解像記録媒体の中心軸を基準に、それぞれ異なる記録パワーで所定パターン及びランダムパターンを形成した位置を表す。すなわち、超解像記録媒体の４０〜４４ｍｍの半径位置に、異なる記録パワーで前記所定パターン及びランダムパターンを形成した後、前記所定パターン信号によるＲＦ信号とランダムパターンによるＲＦ信号とを観察した。
【００３７】
図１０を参照するに、記録パワーが増大するほど、本発明による所定パターンによるＲＦ信号で、短Ｔに対応するＲＦ信号のレベルが低くなり、全体的な非対称特性が悪くなる。また、記録パワーが３５ｍｗである場合、前記所定パターンによるＲＦ信号は、最も好ましい非対称特性を有するということが分かる。特に、本発明による所定パターンによるＲＦ信号のレベルの変化によって、ランダムパターンによるＲＦ信号のレベルも共に変化するということが分かる。
【００３８】
図１１Ａないし図１２Ｃは、前記図１０の本発明による所定パターンによるＲＦ信号とランダムパターンによるＲＦ信号とを具体的に示したグラフである。ここで、図１１Ａは、前記図１０に図示された半径４１ｍｍに、３５ｍｗの記録パワーで記録された所定パターン信号を再生した場合のＲＦ信号を示したグラフであり、図１１Ｂは、同じ記録条件で記録されたランダムパターン信号を再生した場合のＲＦ信号を示したグラフであり、図１１Ｃは、前記図１１Ｂの時間軸を拡大して示したグラフである。また、図１２Ａは、前記図１０に図示された条件のうち、半径４４ｍｍに６５ｍｗの記録パワーで記録された所定パターン信号を再生した場合のＲＦ信号を示したグラフであり、図１２Ｂは、同じ記録条件で記録されたランダムパターン信号を再生した場合のＲＦ信号を示したグラフであり、図１２Ｃは、前記図１２Ｂの時間軸を拡大して示したグラフである。
【００３９】
図１１Ａないし図１１Ｃを参照するに、本発明による所定パターンによるＲＦ信号が対称性を維持する場合、すなわち優秀な非対称特性を表す場合には、ランダムパターンによるＲＦ信号も歪曲なしに正常に検出される（Ａ）。しかし、図１２Ａないし図１２Ｃを参照するに、本発明による所定パターンによるＲＦ信号の非対称特性が悪くなり、２ＴによるＲＦ信号のレベルが下降した場合、ランダムパターンによるＲＦ信号レベルも全般的に下降してＲＦ信号の飽和が起き、信号が歪曲される現象とモジュレーションが小さくなる問題とが発生する。言い換えれば、本発明による所定パターンによるＲＦ信号の非対称特性が優秀な場合には、ランダムパターンによるＲＦ信号も優秀な非対称特性を表すが、本発明による所定パターンによるＲＦ信号の非対称特性が悪くなる場合には、ランダムパターンによるＲＦ信号の歪曲が増大するということが分かる。
【００４０】
図１３は、前記図１０の条件のうち、半径４４ｍｍ及び４１ｍｍにそれぞれ６５ｍｗ、３５ｍｗで記録されたランダムパターン信号によるＲＦ信号の波形を示したグラフである。また、図１４Ａ及び図１４Ｂはそれぞれ前記半径４４ｍｍ及び４１ｍｍにそれぞれ６５ｍｗ、３５ｍｗで記録された本発明による所定パターンによるＲＦ信号を示したグラフである。
【００４１】
前記図１４Ｂに図示されたように、半径４１ｍｍに記録された所定パターンによるＲＦ信号が安定した非対称特性を表す場合、ランダムパターンによるＲＦ信号（図１３の１３２０）で、最も長い周期を有するＴによるレベルは、他のＴのレベルより低いために、安定した同期（sync）検出が可能である。しかし、前記図１４Ａに図示されたように、半径４４ｍｍに記録された所定パターンによるＲＦ信号が不安定な非対称特性を有する場合、同一条件で記録されたランダムパターンによるＲＦ信号（図１３の１３１０）は、長Ｔマーク信号のレベルより他のＴのレベルが低く、（図１３のＣ参照）、同期検出（sync  detection）が不安定になりえる。
【００４２】
図１５は、本発明による所定パターン信号の非対称によるＢＥＲ（Bit  Error  Rate）を実験した結果を示したグラフである。図１５を参照するに、前述のように、記録パワーが高い領域、すなわち本発明による所定パターンによるＲＦ信号の非対称が劣悪な条件では、同期検出がなされず、ＢＥＲデコーディングが良好にならないという問題が発生する。また、３５ｍＷの記録パワーで半径４１ｍｍに記録された所定パターンのように、本発明による所定パターンによるＲＦ信号の非対称特性が優秀である場合、前記所定パターンを記録するときの記録条件と同一条件でランダムパターンによるＲＦ信号を記録した場合、前記ランダムパターンによるＢＥＲが最も小さいということを確認することができる。言い換えれば、本発明による所定パターンによるＲＦ信号の非対称特性が優秀な記録条件と同じ条件で記録されたランダムパターンのＲＦ信号のエラー発生率が低下する。すなわち、所定パターンによるＲＦ信号の対称特性が良好であるほどランダムパターンによるＲＦ信号のエラー発生率も低下するために、所定パターンによるＲＦ信号とランダムパターンによるＲＦ信号との間は、高い相関関係を有するということを再確認できる。
【００４３】
図１６は、本発明による所定パターンの非対称及び２ＴモジュレーションとＢＥＲとの相関関係を示したグラフである。図１６でｘ軸は、本発明による所定パターン信号によるＲＦ信号の非対称及び２Ｔのモジュレーションを表し、ｙ軸は、前記所定パターン信号と同一記録条件で形成されたランダムパターン信号によるＲＦ信号のＢＥＲを示したものである。
【００４４】
図１６を参照するに、本発明による所定パターンによるＲＦ信号の非対称が最も低い記録条件（８％）と同じ記録条件で記録されたランダムパターンによるＲＦ信号が、最も優秀なＢＥＲ結果を表すということを確認することができる（Ｄ）。また、本発明による所定パターンによるＲＦ信号の非対称が増大するほどＢＥＲ結果が悪くなり、モジュレーション値が増大するときも、ＢＥＲ結果が悪くなるということを確認することができる。ただし、モジュレーション値より非対称値にＢＥＲ結果がさらに多くの依存性を示している。
【００４５】
以上で述べたように、本発明は、ＩＳＩ現象により各信号のレベル抽出が困難な信号において、所定のパターンを利用して各信号のレベルＴを抽出することによって、信号の品質（ＢＥＲ）に直接的に影響を与える因子を確認してＲＦ信号の品質を改善できる。また、前記情報記録媒体に形成された所定パターンによるＲＦ信号のレベルを検出し、任意のランダムパターンによる各Ｔ信号のレベルを決定できる。
【００４６】
図１７は、本発明による情報記録媒体の最適記録条件の検出方法を示した図である。図１７を参照するに、段階１７１０で、記録条件を変化させつつ、情報記録媒体に所定パターン信号を記録する。前述のように、前記所定パターン信号は、ＲＦ信号のレベル検出のために、周期的に反復されるｎＴ（ｎは自然数、Ｔはクロック周期）、及び前記ｎＴ間に形成され、前記ＲＦ信号の各レベルに対応する互いに異なる長さのＴの組合わせにより構成される。また、前記記録条件では、記録パワー、バイアスパワー、２Ｔ  Ｄｕｔｙなどを利用する。
【００４７】
段階１７２０で、前記所定パターン信号に対するＲＦ信号のレベル変化を検出する。
【００４８】
段階１７３０で、前記所定パターン信号に対するＲＦ信号のレベルが所定の基準条件を満足するか否かを判断する。前述のように、本発明による所定パターン信号によるＲＦ信号の特性、例えば非対称特性またはモジュレーション振幅特性が優秀な場合には、任意のランダムパターンによるＲＦ信号も優秀な特性を有することになる。従って、本発明では、前記所定パターン信号によるＲＦ信号が所定品質以上を有する場合の記録条件を決定し、前記決定された記録条件を任意のランダムデータの記録条件として活用する。
【００４９】
段階１７４０で、前記所定パターン信号によるＲＦ信号が所定基準条件を満足しない場合には、前記記録パワー、バイアスパワー及び２Ｔ  Ｄｕｔｙなどを変化させつつ、前記段階１７１０ないし１７３０を反復する。
【００５０】
段階１７５０で、前記所定パターン信号によるＲＦ信号が所定基準条件を満足する場合には、前記所定パターン信号を記録するときの記録条件を任意のランダムデータを記録するための最適記録条件と決定する。
【００５１】
一方、超解像記録媒体などの情報記録媒体の製造時に、前記決定された最適記録条件などを前記情報記録媒体の所定の情報領域にあらかじめ保存することができる。
【００５２】
図１８は、本発明による情報記録媒体の構造を示した図である。図１８を参照するに、本発明による情報記録媒体の製造時に、前記決定された最適記録条件を前記情報記録媒体の所定領域にあらかじめ保存することができる。すなわち、本発明による情報記録媒体の製造時に、所定領域に前記最適記録条件を記録パワーなどの記録条件を算出するための基準信号として記録できる。前記基準信号は、ＲＯＭピット・マーク、プリレコーディッド（Pre-Recorded）・マーク、またはウォブルであらかじめ記録できる。
【００５３】
図１９は、本発明の一実施形態による情報記録媒体の記録／再生装置を示した図である。図１９を参照するに、本発明の一実施形態による情報記録媒体の記録／再生装置は、ピックアップ部５０、レベル検出部６０及び制御部７０を備える。
【００５４】
ピックアップ部５０は、光を照射するレーザダイオード５１、レーザダイオード５１から照射される光を平行にするコリメーティングレンズ５２、入射光の進路を変換するビームスプリッタ５４、ビームスプリッタ５４を通過した光を情報記録媒体Ｄに収束させる対物レンズ５６を備える。ピックアップ部５０は、情報記録媒体Ｄに記録ビームを照射して本発明による所定パターン信号を記録する一方、再生ビームを照射して反射される信号を受信する。
【００５５】
前記情報記録媒体で反射された信号は、ビームスプリッタ５４により反射されて光検出器５７で受光される。ここで、光検出器５７としては、四分割光検出器などが利用できる。光検出器５７で受光された光は、演算回路部５９を経て電気信号に変換されてＲＦ信号として出力される。
【００５６】
検出部６０は、前記ＲＦ信号のレベル変化を検出して制御部７０に出力する。制御部７０は、検出部６０で検出されたＲＦ信号のレベル変化を利用し、前記ＲＦ信号が所定の基準条件を満足するか否か判断する。もし前記検出されたＲＦ信号が所定の基準条件を満足する場合には、前記所定パターン信号を記録するときの記録条件、例えば記録パワー、バイアスパワー及び２Ｔ  Ｄｕｔｙなどを最適の記録条件と決定する。すなわち、制御部７０は、ＲＦ信号のレベル変化を観測し、前記ＲＦ信号レベルの対称状態が最適である時点の記録条件を決定する。
【００５７】
もし検出されたＲＦ信号が所定の基準条件を満足しない場合には、制御部７０は、ピックアップ部５０で前記所定パターン信号を記録するときの記録条件が変化するように制御する。
【００５８】
一方、前記情報記録媒体の所定領域にあらかじめ最適記録条件に関する情報が記録されている場合、ピックアップ部５０は、前記最適記録条件に関する情報を読み取り、制御部７０は、前記所定パターン信号によるＲＦ信号のレベルを抽出することによって、各Ｔ信号のレベル値及び記録条件を決定できる。
【００５９】
以上、本発明についてその望ましい実施形態を中心に説明した。本発明が属する技術分野で当業者は、本発明が本発明の本質的な特性から外れない範囲で変形された形態で具現されうるということを理解することができるであろう。本発明の範囲は、前述の説明でなくして特許請求の範囲に示されており、それと同等な範囲内にあるあらゆる差異点は、本発明に含まれるものと解釈されるのである。
【図面の簡単な説明】
【００６０】
【図１Ａ】従来技術によって、最短信号が分解能より大であるマークとスペースとで所定のデータが記録された情報記録媒体の再生時に検出されるアイ・パターンのシミュレーション結果を示したグラフである。
【図１Ｂ】従来技術によって、最短信号が分解能より大であるマークとスペースとで所定のデータが記録された情報記録媒体の再生時に検出されるアイ・パターンの実験結果とを示したグラフである。
【図２Ａ】従来技術によって、分解能より小であるマークを含む超解像記録媒体に記録されたランダムパターンの再生時に検出されたアイ・パターンのシミュレーション結果を示したグラフである。
【図２Ｂ】従来技術によって、分解能より小であるマークを含む超解像記録媒体に記録されたランダムパターンの再生時に検出されたアイ・パターンの実験結果を示したグラフである。
【図３】本発明による情報記録媒体に形成された所定パターン信号によるＲＦ信号とランダムパターンによるＲＦ信号との特性を測定した結果を示した表である。
【図４】前記図３の条件によるシミュレーション結果を具体的に示した図である。
【図５】前記図３の条件によるシミュレーション結果を具体的に示した図である。
【図６】本発明による所定パターンによって検出されるＲＦ信号の波形を示したグラフである。
【図７】本発明による所定パターンが備わった記録媒体で、ＥＱ前のＰＬＬ信号を示したグラフである。
【図８】本発明による情報記録媒体に備わった所定パターンによって検出されるＲＦ信号の波形を示したグラフである。
【図９】本発明による情報記録媒体に備わった所定パターンによって検出されるＲＦ信号の波形を示したグラフである。
【図１０】本発明による情報記録媒体に記録パワーを変化させて所定パターンの信号を形成し、前記所定パターンによるＲＦ信号とランダムパターンによるＲＦ信号とを比較したグラフである。
【図１１Ａ】同じ記録条件で、本発明による所定パターンによるＲＦ信号とランダムパターンによるＲＦ信号とを比較したグラフである。
【図１１Ｂ】同じ記録条件で、本発明による所定パターンによるＲＦ信号とランダムパターンによるＲＦ信号とを比較したグラフである。
【図１１Ｃ】同じ記録条件で、本発明による所定パターンによるＲＦ信号とランダムパターンによるＲＦ信号とを比較したグラフである。
【図１２Ａ】同じ記録条件で、本発明による所定パターンによるＲＦ信号とランダムパターンによるＲＦ信号とを比較したグラフである。
【図１２Ｂ】同じ記録条件で、本発明による所定パターンによるＲＦ信号とランダムパターンによるＲＦ信号とを比較したグラフである。
【図１２Ｃ】同じ記録条件で、本発明による所定パターンによるＲＦ信号とランダムパターンによるＲＦ信号とを比較したグラフである。
【図１３】前記図１０の条件のうち、半径４４ｍｍ及び４１ｍｍにそれぞれ６５ｍｗ、３５ｍｗで記録されたパターンから検出されるＲＦ信号の波形を具体的に示したグラフである。
【図１４Ａ】半径４４ｍｍで、それぞれ６５ｍｗ、３５ｍｗで記録された所定パターンによって検出されるＲＦ信号を示したグラフである。
【図１４Ｂ】前記４１ｍｍで、それぞれ６５ｍｗ、３５ｍｗで記録された所定パターンによって検出されるＲＦ信号を示したグラフである。
【図１５】本発明による所定パターン信号の非対称別ＢＥＲを実験した結果を示したグラフである。
【図１６】本発明による所定パターンの非対称及び２ＴモジュレーションとＢＥＲとの相関関係を示したグラフである。
【図１７】本発明による最適記録条件の決定方法を示したフローチャートである。
【図１８】本発明による情報記録媒体の構造を示した図である。
【図１９】本発明による情報記録媒体の記録／再生装置の一実施形態を示したブロック図である。
【図３】
2008544431.tif 000003
【図４】
2008544431.tif 000004
【図５】
2008544431.tif 000005
【図６】
2008544431.tif 000006
【図７】
2008544431.tif 000007
【図８】
2008544431.tif 000008
【図９】
2008544431.tif 000009
【図１０】
2008544431.tif 000010
【図１１Ａ】
2008544431.tif 000011
【図１１Ｂ】
2008544431.tif 000012
【図１１Ｃ】
2008544431.tif 000013
【図１２Ａ】
2008544431.tif 000014
【図１２Ｂ】
2008544431.tif 000015
【図１２Ｃ】
2008544431.tif 000016
【図１３】
2008544431.tif 000017
【図１４Ａ】
2008544431.tif 000018
【図１４Ｂ】
2008544431.tif 000019
【図１５】
2008544431.tif 000020
【図１６】
2008544431.tif 000021
【図１７】
2008544431.tif 000022
【図１８】
2008544431.tif 000023
【図１９】
2008544431.tif 000024
【図１Ａ】
2008544431.tif 000025
【図１Ｂ】
2008544431.tif 000026
【図２Ａ】
2008544431.tif 000027
【図２Ｂ】
2008544431.tif 000028
【国際調査報告】
2008544431.tif 000029
2008544431.tif 000030